(57)【要約】  【課題】主装置を用いた親子電話システムにおいて、親子電話機を複数台設置した場合のコストを低減することができる技術を提供する。  【解決手段】内線ネットワーク４に無線ＡＰ３および親機２１を接続すると共に、無線ＡＰ３を介して内線ネットワーク４に子機２２を接続する。そして、親機２１に、自機２１と親子関係にある子機２２の対応関係を管理させ、自親機２１に対する音声経路を、必要に応じて、無線ＡＰ３経由で、自機２１と親子関係にある子機２２へ中継する。【選択図】図１
2008205910.tif 000002
【特許請求の範囲】
【請求項１】
外線および内線を収容する主装置と、前記内線に接続された少なくとも１台の内線電話親機と、少なくとも１台の内線電話子機と、前記内線に接続された無線アクセスポイントと、を有する親子電話システムであって、
前記内線電話子機は、
前記無線アクセスポイントを介して前記内線に接続され、
前記内線電話親機は、
自内線電話親機と親子関係にある前記内線電話子機の情報を記憶した親子関係記憶手段と、
前記親子関係記憶手段を参照し、自内線電話親機に対する音声経路を、前記無線アクセスポイント経由で、自内線電話親機と親子関係にある前記内線電話子機へ中継する音声経路中継手段と、
自内線電話親機、または自内線電話親機と親子関係にある前記内線電話子機に、予め定められた状態の変化が発生した場合、あるいは予め定められた操作が行われた場合に、前記音声経路中継手段に対して、自内線電話親機に対する音声経路の当該内線電話子機への中継を指示する制御手段と、を有する
ことを特徴とする親子電話システム。
【請求項２】
請求項１に記載の親子電話システムであって、
前記内線電話親機は、
自内線電話親機と親子関係にある前記内線電話子機の自内線電話親機への載置状態を検出する載置状態検出手段をさらに有し、
前記制御手段は、
前記載置状態検出手段により検出された載置状態を示す情報が、自内線電話親機と親子関係にある前記内線電話子機が自内線電話親機に載置されていないことを示している場合に、前記音声経路中継手段に対して、音声経路の当該内線電話子機への中継を指示する
ことを特徴とする親子電話システム。
【請求項３】
請求項２に記載の親子電話システムであって、
前記制御手段は、
呼が着信した場合において、前記載置状態検出手段により検出された載置状態を示す情報が、自内線電話親機と親子関係にある前記内線電話子機が自内線電話親機に載置されていることを示している場合に、着信音を自内線電話親機の音響手段から送出し、当該内線電話子機が自内線電話親機に載置されていないことを示している場合に、着信音を当該内線電話子機に送出する
ことを特徴とする親子電話システム。
【請求項４】
請求項３に記載の親子電話システムであって、
前記制御手段は、
自内線電話親機の前記音響手段から着信音を出力しているときに、前記載置状態検出手段により検出された載置状態を示す情報が、自内線電話親機と親子関係にある前記内線電話子機が自内線電話親機に載置されていないことを示すものに変化した場合に、当該呼に対する応答情報を前記外線に送出する
ことを特徴とする親子電話システム。
【請求項５】
請求項２に記載の親子電話システムであって、
前記制御手段は、
呼を発信する場合に、前記載置状態検出手段により検出された載置状態を示す情報が、自内線電話親機と親子関係にある前記内線電話子機が自内線電話親機に載置されていることを示している場合に、呼出音を自内線電話親機の音響手段から送出し、当該内線電話子機が自内線電話親機に載置されていないことを示している場合に、呼出音を当該内線電話子機に送出する
ことを特徴とする親子電話システム。
【請求項６】
請求項５に記載の親子電話システムであって、
前記制御手段は、
自内線電話親機の前記音響手段から呼出音を出力しているときに、前記載置状態検出手段により検出された載置状態を示す情報が、自内線電話親機と親子関係にある前記内線電話子機が自内線電話親機に載置されていないことを示すものに変化した場合に、呼出音の出力先を自内線電話親機の前記音響手段から当該内線電話子機に切り替える
ことを特徴とする親子電話システム。
【請求項７】
請求項１乃至６のいずれか一項に記載の親子電話システムであって、
前記制御手段は、
前記親子関係記憶手段を参照し、自内線電話親機と親子関係にある前記内線電話子機が前記無線アクセスポイントの圏外にある場合、前記載置状態検出手段により検出された載置状態を示す情報にかかわらず、前記音声経路中継手段に対して、音声経路の当該内線電話子機への中継を指示しない
ことを特徴とする親子電話システム。
【請求項８】
請求項１乃至７のいずれか一項に記載の親子電話システムであって、
前記内線電話子機は、
当該内線電話子機を含む親子電話機に付与された電話番号とは別に、当該内線電話子機に対して付与された電話番号を用いて他端末と通信する単体電話通信手段を有する
ことを特徴とする親子電話システム。
【請求項９】
外線および内線を収容する主装置を用いた親子電話システムの中継方法であって、
前記内線に無線アクセスポイントおよび内線電話親機を接続し、
前記無線アクセスポイントを介して前記内線に、前記内線電話親機と親子関係にある内線電話子機を接続し、
前記内線電話親機に、
自内線電話親機、または自内線電話親機と親子関係にある前記内線電話子機に、予め定められた状態の変化が発生した場合、あるいは予め定められた操作が行われた場合に、自内線電話親機に対する音声経路を、前記無線アクセスポイント経由で、自内線電話親機と親子関係にある前記内線電話子機へ中継する
ことを特徴とする親子電話システムの中継方法。
【発明の詳細な説明】
【技術分野】
【０００１】
本発明は、主装置を用いた親子電話システムの技術に関し、特に親子電話機を複数台設置する場合に好適な親子電話システムの技術に関する。
【背景技術】
【０００２】
特許文献１には、３つのモードで動作するカールコードレス電話システムが開示されている。このカールコードレス電話システムは、子機がカールコードで親機に接続され、親機のハンドセットとして動作するモード、子機が無線で親機に接続し、親子電話機として動作するモード、および、子機が事業所用マルチゾーンコードレス接続装置（自営ＢＳ）経由で構内交換機に接続し、事業所用マルチゾーンコードレス子機として動作するモードを有する。
【０００３】
【特許文献１】特開２００２−１０１４３９号公報
【発明の開示】
【発明が解決しようとする課題】
【０００４】
特許文献１に記載のカールコードレス電話システムは、子機を親子電話機として動作させるために、親機および子機の両方に無線インターフェースを搭載して、子機を親機に無線で接続している。このため、親子電話機１セットあたり２つの無線インターフェースが必要となる。親子電話機を複数台設置すると、設置台数の２倍の無線インターフェースが必要となりコストが嵩む。
【０００５】
本発明は上記事情に鑑みてなされたものであり、本発明の目的は、主装置を用いた親子電話システムにおいて、親子電話機を複数台設置した場合のコストを低減することができる技術を提供することにある。
【課題を解決するための手段】
【０００６】
上記課題を解決するために、本発明では、内線に無線アクセスポイントおよび内線電話親機を接続すると共に、無線アクセスポイントを介して内線に内線電話子機を接続する。そして、内線電話親機に、自内線電話親機と親子関係にある内線電話子機の対応関係を管理させ、自内線電話親機に対する音声経路を、必要に応じて、前記無線アクセスポイント経由で、自内線電話親機と親子関係にある前記内線電話子機へ中継する。
【０００７】
例えば、本発明は、外線および内線を収容する主装置と、前記内線に接続された少なくとも１台の内線電話親機と、少なくとも１台の内線電話子機と、前記内線に接続された無線アクセスポイントと、を有する親子電話システムであって、
前記内線電話子機は、
前記無線アクセスポイントを介して前記内線に接続され、
前記内線電話親機は、
自内線電話親機と親子関係にある前記内線電話子機の情報を記憶した親子関係記憶手段と、
前記親子関係記憶手段を参照し、自内線電話親機に対する音声経路を、前記無線アクセスポイント経由で、自内線電話親機と親子関係にある前記内線電話子機へ中継する音声経路中継手段と、
自内線電話親機、または自内線電話親機と親子関係にある前記内線電話子機に、予め定められた状態の変化が発生した場合、あるいは予め定められた操作が行われた場合に、前記音声経路中継手段に対して、自内線電話親機に対する音声経路の当該内線電話子機への中継を指示する制御手段と、を有する。
【発明の効果】
【０００８】
本発明によれば、内線電話親機に、内線電話子機と無線通信するための無線インターフェースを持たせる必要がない。したがって、親子電話機を複数台設置した場合のコストを低減することができる。
【発明を実施するための最良の形態】
【０００９】
以下、本発明の実施の形態について説明する。
【００１０】
図１は、本発明の一実施の形態が適用された親子電話システムの概略構成図である。
【００１１】
図示するように、本実施の形態の親子電話システムは、外線ネットワーク（例えばＷＡＮ）５および内線ネットワーク（例えばＬＡＮ）４を収容する主装置１と、内線ネットワーク４に接続された無線ＡＰ（アクセスポイント）３と、少なくとも１セットの親子電話機２と、を有する。
【００１２】
主装置１は、外線ネットワーク５と親子電話機２（親機２１）との間、および親子電話機２（親機２１）と親子電話機２（親機２１）との間の音声経路を中継する。
【００１３】
親子電話機２は、内線ネットワーク４に接続された親機２１と、親機２１に載置可能に構成された子機２２と、を有する。子機２２は、無線通信機能を有し、無線ＡＰ３を介して内線ネットワーク４に接続される。親機２１は、自機２１と親子関係にある子機２２を管理する。また、親機２１は、自機２１および自機２１と親子関係にある子機２２の予め定められた状態が変化した場合、あるいは、自機２１および自機２１と親子関係にある子機２２の少なくとも一方に予め定められた操作が行われた場合に、自機２１（親子電話機２）に対する音声経路を、無線ＡＰ３経由で、自機２１と親子関係にある子機２２へ中継する。
【００１４】
次に、本実施の形態の親子電話システムを構成する各装置について説明する。
【００１５】
先ず、主装置１について説明する。図２は、主装置１の概略構成図である。
【００１６】
図示するように、主装置１は、外線ＩＦ部１１と、内線ＩＦ部１２と、通信制御部１３と、ＧＷ部１４と、ルータ部１５と、呼制御部１６と、局データ記憶部１７と、主制御部１８と、を有する。
【００１７】
外線ＩＦ部１１は、外線ネットワーク５と接続するためのインターフェースである。
【００１８】
内線ＩＦ部１２は、内線ネットワーク４と接続するためのインターフェースである。
【００１９】
通信制御部１３は、外線ネットワーク５および内線ネットワーク４のそれぞれと通信パケットを送受するために必要な処理（エラー検出、エラー訂正、パケット解析等）を行う。
【００２０】
ＧＷ部１４は、外線ネットワーク５および内線ネットワーム４間を中継するゲートウェイである。
【００２１】
ルータ部１５は、通信パケットのルーティングを行う。
【００２２】
呼制御部１６は、ＳＩＰ等の呼制御プロトコルに従い呼制御処理を行う。
【００２３】
局データ記憶部１７は、局データを記憶する。局データには、親子電話機２毎に、当該親子電話機２に付与された電話番号と、当該親子電話機２の親機２１のアドレス情報（ＩＰアドレス等）とが含まれる。
【００２４】
そして、主制御部１８は、自主装置１の各部１１〜１７を統括的に制御する。
【００２５】
具体的には、主制御部１８は、外線ＩＦ部１１、通信制御部１３、ルータ部１５、およびＧＷ部１４を介して、外線ネットワーク５から呼データを受信すると、局データ記憶部１７を参照し、この呼データの着番号が付与された親子電話機２の親機２１のアドレス情報を取得する。そして、呼データおよび取得したアドレス情報を呼制御部１６に渡す。これを受けて、呼制御部１６は、主制御部１８と連携して着信処理を行い、アドレス情報により特定される親機２１と呼データの発信元との間に音声経路（通話パス）を設定する。
【００２６】
また、主制御部１８は、内線ＩＦ部１２、通信制御部１３、ルータ部１５、およびＧＷ部１４を介して、親機２１から呼データを受信すると、この呼データを呼制御部１６に渡す。これを受けて、呼制御部１６は、主制御部１８と連携して発信処理を行い、この親機２１と呼データのあて先との間に音声経路を設定する。
【００２７】
次に、無線ＡＰ３について説明する。図３は、無線ＡＰ３の概略構成図である。
【００２８】
図示するように、無線ＡＰ３は、無線ＩＦ部３１と、内線ＩＦ部３２と、通信制御部３３と、子機管理部３４と、子機情報記憶部３５と、主制御部３６と、を有する。
【００２９】
無線ＩＦ部３１は、無線ネットワークと接続するためのインターフェースである。
【００３０】
内線ＩＦ部３２は、内線ネットワーク４と接続するためのインターフェースである。
【００３１】
通信制御部３３は、無線ネットワークおよび内線ネットワーク４のそれぞれと通信パケットを送受するために必要な処理（エラー検出、エラー訂正、パケット解析等）を行う。
【００３２】
子機管理部３４は、自無線ＡＰ３の圏内にある子機２２を管理する。具体的には、通信制御部３３、および無線ＩＦ部３１を介して、無線ネットワークにビーコンを放送し、このビーコンを受信した子機２２が送信する、この子機２２の子機ＩＤを含む管理データを、無線ＩＦ部３１、および通信制御部３３を介して受信する。そして、受信した管理データに含まれている子機ＩＤを、自無線ＡＰ３の圏内にある子機２２の子機ＩＤとして、子機情報記憶部３５に登録する。また、受信した管理データに含まれていない子機ＩＤを、自無線ＡＰ３の圏外となった子機２２の子機ＩＤとして、子機情報記憶部３５から削除する。
【００３３】
主制御部３６は、自無線ＡＰ３の各部３１〜３５を統括的に制御する。
【００３４】
具体的には、無線ＩＦ部３１、内線ＩＦ部３２、および通信制御部３３と連携して、無線ネットワークおよび内線ネットワーク４間を中継する。また、子機管理部３４と連携して、自無線ＡＰ３の圏内にある子機２２の子機ＩＤを子機情報記憶部３５に登録すると共に、自無線ＡＰ３の圏外となった子機２２の子機ＩＤを子機情報記憶部３５から削除する。さらに、主制御部３６は、親機２１からの子機状態問合せに対して、この親機２１と親子関係にある子機２２の状態（圏外か否か）を返信する。すなわち、主制御部３６は、子機ＩＤを含む子機状態問合せを親機２１から受信すると、この子機ＩＤが子機情報記憶部３５に登録されているか否かを調べる。登録されている場合は、この子機ＩＤにより特定される子機２２が無線ＡＰ３の圏内であることを示す子機状態データを生成する。一方、登録されていない場合は、この子機ＩＤにより特定される子機２２が無線ＡＰ３の圏外であることを示す子機状態データを生成する。そして、生成した子機状態データを子機状態問合せの送信元である親機２１に送信する。
【００３５】
次に、親機２１について説明する。図４は、親機２１の概略構成図である。
【００３６】
図示するように、親機２１は、内線ＩＦ部２１０１と、通信制御部２１０２と、呼制御部２１０３と、通話ボタン（ハンズフリーボタン）、ダイヤルキー、ファンクションキー等の入力キーおよびＬＣＤ等の表示部を備えた操作パネル２１０４と、操作制御部２１０５と、マイクおよびスピーカを備えたハンズフリー部２１０６と、音声制御部２１０７と、子機ＩＦ部２１０８と、電源制御部２１０９と、親子情報記憶部２１１０と、主制御部２１１１と、を有する。
【００３７】
内線ＩＦ部２１０１は、内線ネットワーク４と接続するためのインターフェースである。
【００３８】
通信制御部２１０２は、内線ネットワーク４と通信パケットを送受するために必要な処理（エラー検出、エラー訂正、パケット解析等）を行う。
【００３９】
呼制御部２１０３は、ＳＩＰ等の呼制御プロトコルに従い呼制御処理を行う。
【００４０】
操作制御部２１０５は、操作パネル２１０４を介して、ユーザの操作を受け付けたり、情報を表示したりする。
【００４１】
音声制御部２１０７は、ハンズフリー部２１０６に対する音声の入出力を制御する。
【００４２】
子機ＩＦ部２１０８は、子機２２が親機２１に載置された場合に、この子機２２と接続するためのインターフェースである。子機ＩＦ部２１０８は、子機２２を充電するための電力供給端子と、子機２２から子機ＩＤを取得するための通信端子と、子機２２の載置状態を検出するためのセンサと、を有する。
【００４３】
電源制御部２１０９は、子機ＩＦ部２１０８に接続された子機２２の充電を制御する。また、子機ＩＦ部２１０８に設けられたセンサを用いて、子機２２の載置状態を検出する。さらに、電力制御部２１０９は、子機ＩＦ部２１０８に接続された子機２２の子機ＩＤを取得する。
【００４４】
親子情報記憶部２１１０は、親子電話機２の親子情報が記憶されている。図５は、親子情報記憶部２１１０を模式的に表した図である。図示するように、親子情報記憶部２１１０には、自機２１を含む親子電話機２に割り当てられた電話番号２１１１、自機２１の識別情報である親機ＩＤ２１１２、自機２１と親子関係にある子機２２の識別情報である子機ＩＤ２１１３、この子機２２が無線ＡＰ３の圏内か否かを示す子機状態２１１４、および、この子機２２が自機２１に載置されているか否かを示す載置状態２１１５が登録されている。
【００４５】
そして、主制御部２１１１は、自機２１の各部２１０１〜２１１０を統括的に制御する。
【００４６】
図６は、親機２１の動作を説明するためのフロー図である。
【００４７】
主制御部２１１１は、内線ＩＦ部２１０１、および通信制御部２１０２を介して、主装置１から着信通知を受信すると（Ｓ２１０１でＹＥＳ）、この着信通知を呼制御部２１０３に渡す。これを受けて、呼制御部２１０３は、主制御部２１１１と連携して、後述する着信処理を行う（Ｓ２１０２）。
【００４８】
また、主制御部２１１１は、操作パネル２１０４、および操作制御部２１０５を介して、通話ボタンが「オン」になったことを検知すると（Ｓ２１０３でＹＥＳ）、発信指示を呼制御部２１０３に渡す。これを受けて、呼制御部２１０３は、主制御部２１１１と連携して、後述する発信処理を行う（Ｓ２１０４）。
【００４９】
また、主制御部２１１１は、内線ＩＦ部２１０１、および通信制御部２１０２を介して、自機２１と親子関係にある子機２２から発信通知を受信すると（Ｓ２１０５でＹＥＳ）、この子機２２および主装置１間のデータ送受の中継を開始し、この子機２２から受信した通話パケットを主装置１に転送する（Ｓ２１０６）。
【００５０】
また、主制御部２１１１は、主装置１からの音声経路の、自機２１と親子関係にある子機２２への中継処理中に、この子機２２から切替通知を受信すると（Ｓ２１０７でＹＥＳ）、この音声経路の中継処理を中止して、主装置１からの音声経路を自機２１で終端する。そして、ハンズフリー通話を開始する（Ｓ２１０８）。これにより、主装置１から送られてきた通話パケットは、内線ＩＦ部２１０１で受信され、通信制御部２１０２で音声データが抽出される。そして、この音声データが、音声制御部２１０７によりハンズフリー部２１０６のスピーカから出力される。また、ハンズフリー部２１０６のマイクに入力された音声が、音声制御部２１０７により音声データに変換される。そして、この音声データが、通信制御部２１０２により通話パケットに格納され、内線ＩＦ部２１０１から主装置１に送出される。
【００５１】
また、主制御部２１１１は、子機ＩＦ部２１０８、および電源制御部２１０９を介して、子機２２の載置状態が変化したことを検知すると（Ｓ２１０９でＹＥＳ）、次の親子情報更新処理を行う（Ｓ２１１０）。
【００５２】
すなわち、図７に示すように、子機２２の載置状態が「非載置」から「載置」に変化した場合（Ｓ２１１０１でＹＥＳ）、主制御部２１１０は、電源制御部２１０９を介して、ＩＤ要求を送信する（Ｓ２１１０２）。そして、この子機２２から子機ＩＤを取得し（Ｓ２１１０３）、この子機ＩＤが親子情報記憶部２１１０に登録されている子機ＩＤ２１１３と一致するか否かを調べる（Ｓ２１１０４）。一致するならば（Ｓ２１１０４でＹＥＳ）、自機２１と親子関係にある子機２２が載置されたものと判断し、親子情報記憶部２１１０の載置状態２１１５を「非載置」から「載置」に変更する（Ｓ２１１０５）。また、子機２２の載置状態が「載置」から「非載置」に変化した場合（Ｓ２１１０１でＮＯ）、親子情報記憶部２１１０の載置状態２１１５が「載置」であるならば（Ｓ２１１０６でＹＥＳ）、これを「非載置」に変更する（Ｓ２１１０７）。
【００５３】
図８は、親機２１の着信処理（図６のＳ２１０２）を説明するためのフロー図である。
【００５４】
先ず、呼制御部２１０３は、主制御部２１１１に子機２２の載置状態を問い合わせる。これを受けて、主制御部２１１１は、親子情報記憶部２１１０から載置状態２１１５を確認する。載置状態２１１５が「載置」の場合（Ｓ２１０２０１で「載置」）、Ｓ２１０２０２に進む。一方、載置状態２１１５が「非載置」の場合は（Ｓ２１０２０１で「非載置」）、Ｓ２１０２１０に進む。
【００５５】
Ｓ２１０２０２において、呼制御部２１０３は、通信制御部２１０２、および内線ＩＦ部２１０１を介して主装置１に、着信通知に対するＡＣＫデータを送出する。
【００５６】
次に、呼制御部２１０３は、内線ＩＦ部２１０１、および通信制御部２１０２を介して主装置１から、着信音データと、着信したことを表示するための着信表示データとが送られてくるのを待つ。そして、着信音データに基づき、図示していない音源等を用いて着信鳴動を制御すると共に、着信表示データに基づき、操作パネル２１０４のＬＣＤ等を用いて着信表示する（Ｓ２１０２０３）。それから、呼制御部２１０３は、通話ボタンが「オン」になるか、あるいは子機２２の載置状態が「載置」から「非載置」に変化するのを待つ。
【００５７】
主制御部２１１１は、操作制御部２１０５を介して、操作パネル２１０４の通話ボタンが「オン」になったことを検知すると（Ｓ２１０２０４でＹＥＳ）、通話ボタン「オン」を呼制御部２１０３に通知する。これを受けて、呼制御部２１０３は、着信鳴動を停止する（Ｓ２１０２０５）。そして、主装置１を介して通話相手との間に音声経路を設定して、ハンズフリー通話を開始する（Ｓ２１０２０６）。これにより、主装置１を介して通話相手から送られてきた通話パケットは、内線ＩＦ部２１０１で受信され、通信制御部２１０２で音声データが抽出される。そして、この音声データが、音声制御部２１０７によりハンズフリー部２１０６のスピーカから出力される。また、ハンズフリー部２１０６のマイクに入力された音声が、音声制御部２１０７により音声データに変換される。そして、この音声データが、通信制御部２１０２により通話パケットに格納され、内線ＩＦ部２１０１から、主装置１を介して通話相手に送出される。
【００５８】
また、主制御部２１１１は、電源制御部２１０９を介して、自機２１に載置されていた子機２２が、「非載置」になったことを検知すると（Ｓ２１０２０７でＹＥＳ）、その旨を呼制御部２１０３に通知すると共に、親子情報記憶部２１１０の載置状態２１１５を「載置」から「非載置」に変更する。これを受けて、呼制御部２１０３は、着信鳴動を停止する（Ｓ２１０２０８）。
【００５９】
また、呼制御部２１０３は、主装置１を介して通話相手との間に音声経路を設定すると共に、親子情報記憶部２１１０の子機ＩＤ２１１３により特定される子機２２に、無線ＡＰ３を介して切替通知を送出する。そして、設定した音声経路の、この子機２２への中継を開始する（Ｓ２１０２０９）。これにより、主装置１を介して通話相手から送られてきた通話パケットは、無線ＡＰ３を介して、自機２１と親子関係にある子機２２へ転送される。また、自機２１と親子関係にある子機２２から送られてきた通話パケットは、主装置１を介して通話相手へ転送される。
【００６０】
また、Ｓ２１０２１０において、主制御部２１１１は、親子情報記憶部２１１０を参照し、子機ＩＤ２１１３を含む子機状態問合せを生成し、無線ＡＰ３に送信する。そして、無線ＡＰ３から受信した子機状態を用いて親子情報記憶部２１１０の子機状態２１１４を更新する。次に、主制御部２１１１は、親子情報記憶部２１１０の子機状態２１１４を確認する。子機状態２１１４が「圏内」であれば（Ｓ２１０２１１で「圏内」）、Ｓ２１０２１２に進み、「圏外」であれば（Ｓ２１０２１１で「圏外」）、Ｓ２１０２０２に進む。
【００６１】
Ｓ２１０２１２において、主制御部２１１１は、自機２１と親子関係にある子機２２と主装置１との間のデータ送受の中継を開始する。これにより、内線ＩＦ部２１０１、および通信制御部２１０２を介して主装置１から送られてきた着信音データおよび着信表示データは、無線ＡＰ３を介して、自機２１と親子関係にある子機２２に転送される。また、呼制御部２１０３は、着信表示データに基づき、操作制御部２１０５を介して、操作パネル２１０４の表示部に着信表示データを表示する（Ｓ２１０２１３）。
【００６２】
図９は、親機２１の発信処理（図６のＳ２１０４）を説明するためのフロー図である。
【００６３】
先ず、呼制御部２１０３は、通信制御部２１０２、および内線ＩＦ部２１０１を介して主装置１に、自機２１を含む親子電話機２に割り当てられた電話番号を伴うオフフック信号を送出する（Ｓ２１０４０１）。
【００６４】
次に、呼制御部２１０３は、操作制御部２１０５を介して、操作パネル２１０４のダイヤルキーに入力された通話相手の電話番号を受け付け、通信制御部２１０２、および内線ＩＦ部２１０１を介して主装置１に、この電話番号を示す制御データを送出する（Ｓ２１４０２）。それから、呼制御部２１０３は、内線ＩＦ部２１０１、および通信制御部２１０２を介して主装置１より受信した呼出音データを、音声制御部２１０７を介してハンズフリー部２１０６のスピーカから出力する（Ｓ２１０４０３）。
【００６５】
さて、主制御部２１１１は、電源制御部２１０９を介して、自機２１に載置されていた子機２２が「載置」から「非載置」になったことを検知すると（Ｓ２１０４０４でＹＥＳ）、親子情報記憶部２１１０の載置状態２１１５を確認する。
【００６６】
載置状態２１１５が「載置」ならば（Ｓ２１０４０５でＹＥＳ）、その旨を呼制御部２１０３に通知すると共に、親子情報記憶部２１１０の載置状態２１１５を「載置」から「非載置」に変更する（Ｓ２１０４０６）。これを受けて、呼制御部２１０３は、親子情報記憶部２１１０の子機ＩＤ２１１３により特定される子機２２に、無線ＡＰ３を介して切替通知を送出する。そして、この子機２２と主装置１との間のデータ送受の中継を開始する（Ｓ２１０４０７）。これにより、主装置１から送られてきた呼出音データは、自機２１と親子関係にある子機２２へ転送される。
【００６７】
また、載置状態２１１５が「非載置」ならば（Ｓ２１０４０５でＮＯ）、主制御部２１１１は、主装置１からの接続応答の待ちとなる（Ｓ２１０４０９）。
【００６８】
主制御部２１１１は、内線ＩＦ部２１１１、および通信制御部２１０２を介して、主装置１から接続応答を受信すると（Ｓ２１０４０８またはＳ２１０４０９でＹＥＳ）、これを呼制御部２１０３に通知する。これを受けて、呼制御部２１０３は、主装置１を介して通話相手との間に音声経路を設定して、ハンズフリー通話を開始する（Ｓ２１０４１０）。これにより、主装置１を介して通話相手から送られてきた通話パケットは、内線ＩＦ部２１０１で受信され、通信制御部２１０２で音声データが抽出される。そして、この音声データが、音声制御部２１０７によりハンズフリー部２１０６のスピーカから出力される。また、ハンズフリー部２１０６のマイクに入力された音声が、音声制御部２１０７により音声データに変換される。そして、この音声データが、通信制御部２１０２により通話パケットに格納され、内線ＩＦ部２１０１から、主装置１を介して通話相手に送出される。
【００６９】
次に、子機２２について説明する。図１０は、子機２２の概略構成図である。
【００７０】
図示するように、子機２２は、無線ＩＦ部２２０１と、通信制御部２２０２と、呼制御部２２０３と、通話ボタン、ダイヤルキー、ファンクションキー等の入力キーおよびＬＣＤ等の表示部を備えた操作パネル２２０４と、操作制御部２２０５と、マイクおよびスピーカを備えたハンドセット部２２０６と、音声制御部２２０７と、親機ＩＦ部２２０８と、電源制御部２２０９と、親子情報記憶部２２１０と、主制御部２２１１と、を有する。
【００７１】
無線ＩＦ部２２０１は、無線ネットワークと接続するためのインターフェースである。
【００７２】
通信制御部２２０２は、無線ネットワークと通信パケットを送受するために必要な処理（エラー検出、エラー訂正、パケット解析等）を行う。
【００７３】
呼制御部２２０３は、ＳＩＰ等の呼制御プロトコルに従い呼制御処理を行う。
【００７４】
操作制御２２０５は、操作パネル２２０４を介して、ユーザの操作を受け付けたり、情報を表示したりする。
【００７５】
音声制御部２２０７は、ハンドセット部２２０６に対する音声の入出力を制御する。
【００７６】
親機ＩＦ部２２０８は、自機２２が親機２１に載置された場合に、この親機２１と接続するためのインターフェースである。親機ＩＦ部２２０８は、親機２１から電力を入力するための電力入力端子と、親機２１に自機２２の子機ＩＤを通知するための通信端子と、を有する。
【００７７】
電源制御部２２０９は、親機ＩＦ部２２０８に接続された親機２１から提供された電力の蓄電を制御する。また、親機ＩＦ部２２０８に接続された親機２１に、自機２２の子機ＩＤを通知する。
【００７８】
親子情報記憶部２２１０には、自機２２の子機ＩＤ、自機２２と親子関係にある親機２１の親機ＩＤ、および自機２２を含む親子電話機２に割り当てられた電話番号が記憶されている。
【００７９】
そして、主制御部２２１１は、子機２２の各部２２０１〜２２１０を統括的に制御する。
【００８０】
図１１は、子機２２の動作を説明するためのフロー図である。
【００８１】
主制御部２２１１は、無線ＩＦ部２２０１、および通信制御部２２０２を介して、親機２１経由で主装置１から着信通知を受信すると（Ｓ２２０１でＹＥＳ）、この着信通知を呼制御部２２０３に渡す。これを受けて、呼制御部２２０３は、主制御部２２１１と連携して、後述する着信処理を行う（Ｓ２２０２）。
【００８２】
また、主制御部２２１１は、操作パネル２２０４、および操作制御部２２０５を介して、通話ボタンが「オン」になったことを検知すると（Ｓ２２０３でＹＥＳ）、発信指示を呼制御部２２０３に渡す。これを受けて、呼制御部２２０３は、主制御部２２１１と連携して、後述する発信処理を行う（Ｓ２２０４）。
【００８３】
また、主制御部２２１１は、自機２２と親子関係にある親機２１から切替通知を受信すると（Ｓ２２０５でＹＥＳ）、この親機２１とデータを送受することにより、通話経路による通話を開始する（Ｓ２２０６）。これにより、主装置１から送られてきた通話パケットは、親機２１および無線ＡＰ３経由で、無線ＩＦ部２２０１で受信され、通信制御部２２０２で音声データが抽出される。そして、この音声データが、音声制御部２２０７によりハンドセット部２２０６のスピーカから出力される。また、ハンドセット部２２０６のマイクに入力された音声が、音声制御部２２０７により音声データに変換される。そして、この音声データが、通信制御部２２０２により通話パケットに格納され、無線ＩＦ部２２０１から、無線ＡＰ３および親機２１経由で主装置１に送出される。
【００８４】
また、主制御部２２１１は、親機ＩＦ部２２０８、および電源制御部２２０９を介して、自機２２が載置している親機２１からＩＤ要求を受信すると（Ｓ２２０７でＹＥＳ）、この親機２１に、親子情報記憶部２２１０に予め登録されている子機ＩＤを、親機ＩＦ部２２０８を介して送信する（Ｓ２２０８）。
【００８５】
図１２は、子機２２の着信処理（図１１のＳ２２０２）を説明するためのフロー図である。
【００８６】
先ず、呼制御部２２０３は、通信制御部２２０２、および無線ＩＦ部２２０１を介して、無線ＡＰ３および親機２２経由で主装置１に、着信通知に対するＡＣＫデータを送出する（Ｓ２２０２０１）。
【００８７】
次に、呼制御部２２０３は、無線ＩＦ部２２０１、および通信制御部２２０２を介して、親機２１および無線ＡＰ３経由で主装置１から着信音データと着信したことを表示するための着信表示データが送られてくるのを待つ。そして、着信音データに基づき、図示していない音源等を用いて着信鳴動を制御すると共に、着信表示データに基づき、操作パネル２２０４のＬＣＤ等を用いて着信表示する（Ｓ２２０２０２）。それから、呼制御部２２０３は、通話ボタンが「オン」になるか、あるいは、通話を子機２２から親機２１に切り替えるための切替ボタン（ファンクションキー）が「オン」になるのを待つ。
【００８８】
主制御部２２１１は、操作制御部２２０５を介して、操作パネル２２０４の通話ボタンが「オン」になったことを検知すると（Ｓ２２０２０３でＹＥＳ）、通話ボタン「オン」を呼制御部２２０３に通知する。これを受けて、呼制御部２２０３は、着信鳴動を停止して（Ｓ２２０２０４）、音声通話を開始する（Ｓ２２０２０５）。これにより、主装置１から送られてきた通話パケットは、親機２１および無線ＡＰ３を経由して、無線ＩＦ部２２０１で受信され、通信制御部２２０２で音声データが抽出される。そして、この音声データが、音声制御部２２０７によりハンドセット部２２０６のスピーカから出力される。また、ハンドセット部２２０６のマイクに入力された音声が、音声制御部２２０７により音声データに変換される。そして、この音声データが、通信制御部２２０２により通話パケットに格納され、無線ＩＦ部２２０１から、無線ＡＰ３および親機２１経由で主装置１に送出される。
【００８９】
また、主制御部２２１１は、操作制御部２２０５を介して、操作パネル２２０４の切替ボタンが「オン」になったことを検知すると（Ｓ２２０２０６でＹＥＳ）、切替ボタン「オン」を呼制御部２２０３に通知する。これを受けて、呼制御部２２０３は、着信鳴動を停止する（Ｓ２２０２０７）。また、呼制御部２２０３は、親子情報記憶部２２１０の親機ＩＤにより特定される親機２１に切替通知を送出する（Ｓ２２０２０８）。これにより、着信処理が親機２１に引き継がれる。
【００９０】
図１３は、子機２２の発信処理（図１１のＳ２２０４）を説明するためのフロー図である。
【００９１】
先ず、呼制御部２２０３は、通信制御部２２０２、および無線ＩＦ部２２０１を介して、親子情報記憶部２２１０の親機ＩＤにより特定される親機２１に、自機２２を含む親子電話機２に割り当てられた電話番号を伴うオフフック信号を送出する（Ｓ２２０４０１）。このオフフック信号は、親機２１で主装置１へ中継される。
【００９２】
次に、呼制御部２２０３は、操作制御部２２０５を介して、操作パネル２２０４のダイヤルキーに入力された通話相手の電話番号を受け付け、通信制御部２２０２、および無線ＩＦ部２２０１を介して親機２１に、この受け付けた電話番号を示す制御データを送出する（Ｓ２２０４０２）。この電話番号は、親機２１で主装置１へ中継される。
【００９３】
それから、呼制御部２２０３は、無線ＩＦ部２２０１、および通信制御部２２０２を介して、親機２１および無線ＡＰ３経由で主装置１より受信した呼出音データを、音声制御部２２０７を介してハンドセット部２２０６のスピーカから出力する（Ｓ２２０４０３）。
【００９４】
さて、主制御部２２０３は、無線ＩＦ部２２０１、および通信制御部２２０２を介して、親機２１および無線ＡＰ３経由で主装置１から接続応答を受信すると（Ｓ２２０４０４でＹＥＳ）、これを呼制御部２２０３に通知する。これを受けて、呼制御部２２０３は、呼出音の出力を停止して、通話を開始する（Ｓ２２０４０５）。これにより、親機２１および無線ＡＰ３経由で主装置１から送られてきた通話パケットは、無線ＩＦ部２２０１で受信され、通信制御部２２０２で音声データが抽出される。そして、この音声データが、音声制御部２２０７によりハンドセット部２２０６のスピーカから出力される。また、ハンドセット部２２０６のマイクに入力された音声は、音声制御部２２０７により音声データに変換される。そして、この音声データが、通信制御部２２０２により通話パケットに格納され、無線ＩＦ部２２０１から無線ＡＰ３を経由して親機２１に送出され、親機２１で主装置１へ中継される。
【００９５】
また、主制御部２２１１は、操作制御部２２０５を介して、操作パネル２２０４の切替ボタンが「オン」になったことを検知すると（Ｓ２２０４０６でＹＥＳ）、切替ボタン「オン」を呼制御部２２０３に通知する。これを受けて、呼制御部２２０３は、呼出音の出力を停止する（Ｓ２２０４０７）。また、呼制御部２２０３は、親子情報記憶部２２１０の親機ＩＤにより特定される親機２１に切替通知を送出する（Ｓ２２０４０８）。これにより、発信処理が親機２１に引き継がれる。
【００９６】
次に、本実施の形態が適用された親子電話システムによる通話例を説明する。
【００９７】
図１４は、子機２２が親機２１に載置されている親子電話機２に着信した場合に、子機２２で通話する場合の通話例を説明するためのシーケンス図である。
【００９８】
主装置１は、外線ネットワーク５から着信があると、ルータ機能、ゲートウェイ機能、および呼制御機能により、この着信が親子電話機２に対する呼データであることを認識する（Ｓ６０１）。そして、主装置１は、この親子電話機２を構成する親機２１に対して着信通知を送出する（Ｓ６０２）。
【００９９】
親機２１は、主装置１から着信通知を受信すると、この着信通知に対するＡＣＫデータを主装置１に送出する。主装置１は、このＡＣＫデータを呼データの送信元（ゲートウエイ）に転送する（Ｓ６０３）。その後、主装置１は、呼データの送信元から着信音データを受信し、これを親機２１に転送する（Ｓ６０４）。これを受けて、親機２１は着信鳴動を開始する。
【０１００】
さて、親機２１は、自機２１に載置されている子機２２が持上げられたことを検出すると（Ｓ６０５）、親子情報記憶部２１１０を参照し、この子機２２が自機２１と親子関係にある子機２２であるか否かを調べる。そして、自機２１と親子関係にある子機２２であることを確認すると、この子機２１に切替通知を送出する（Ｓ６０７）。また、主装置１に接続応答を送出する（Ｓ６０８）。この接続応答は、主装置１から呼データの送信元に転送される。子機２２は、自機２２と親子関係にある親機２１から切替通知を受信すると、親機２１経由で主装置１とデータの送受を開始する。これにより、親機２１および主装置１経由で、子機２２と通話相手との間に音声経路が形成される（Ｓ６０９）。
【０１０１】
図１５は、子機２２が親機２１に載置されている親子電話機２において、親機２１でダイヤル操作して発信し、子機２２で通話する場合の通話例を説明するためのシーケンス図である。
【０１０２】
親機２１は、通話ボタン（ハンズフリーボタン）が「オン」になると（Ｓ７０１）、オフフック信号を主装置１に送出する（Ｓ７０２）。その後、宛先電話番号の入力を受け付け（Ｓ７０３）、受け付けた宛先電話番号を示す制御データを主装置１に送出する（Ｓ７０４）。
【０１０３】
主装置１は、内線ネットワーク４から着信があると、ルータ機能、ゲートウェイ機能、および呼制御機能により、この着信がオフフック信号および宛先電話番号を示す制御データであることを認識する。そして、この宛先電話番号を着番号とする呼データを生成し、これを外線ネットワーク５に送出する（Ｓ７０５）。
【０１０４】
次に、主装置１は、外線ネットワーク５から呼出音データを受信し、これを親機２１に転送する（Ｓ７０６）。そして、親機２１が呼出音を出力する。
【０１０５】
さて、親機２１は、自機２１に載置されている子機２２が持上げられたことを検出すると（Ｓ７０７）、親子情報記憶部２１１０を参照し、この子機２２が自機２１と親子関係にある子機２２であるか否かを調べる。そして、自機２１と親子関係にある子機２２であることを確認すると、この子機２１に切替通知を送出する（Ｓ７０８）。また、親機２１は、主装置１から受信した呼出音データを子機２２に転送する（Ｓ７０９）。
【０１０６】
次に、主装置１は、外線ネットワーク５から接続応答を受信すると、これを親機２１に転送する。親機２１はこの接続応答をさらに子機２２に転送する（Ｓ７１０）。
【０１０７】
さて、子機２２は、自機２２と親子関係にある親機２１から切替通知を受信すると（Ｓ７０８）、親機２１経由で主装置１とデータの送受を開始する。これにより、子機２２は、親機２１から受信した呼出音データ（Ｓ７０９）に基づき呼出音を出力する。また、親機２１から受信した接続応答（Ｓ７１０）に基づき、主装置１および親機２１経由で、通話相手と通話を開始する（Ｓ７１１）。
【０１０８】
以上、本発明の一実施の形態を説明した。
【０１０９】
本実施の形態では、内線ネットワーク４に無線ＡＰ３および親機２１を接続すると共に、無線ＡＰ３を介して内線ネットワーク４に子機２２を接続する。そして、親機２１に、自機２１と親子関係にある子機２２の対応関係を管理させ、自機２１に対する音声経路を、必要に応じて、無線ＡＰ３経由で、自機２１と親子関係にある子機２２へ中継する。このため、本実施の形態によれば、親機２１に、子機２２と無線通信するための無線インターフェースを持たせる必要がない。したがって、親子電話機２を複数台設置した場合のコストを低減することができる。
【０１１０】
また、本実施の形態では、子機２２が親機２１に載置されている場合、親子電話機２に対する音声経路が親機２１に接続され、子機２２が親機２１に載置されていない場合は、親子電話機２に対する音声経路が親機２１経由で子機２２に接続される。このため、子機２２を親機２１に載置したり、親機２１に載置している子機２２を親機２１から持上げたりすることで、親子電話機２に対する音声経路の接続先を切り替えることができ、親子電話機２の使い勝手が向上する。
【０１１１】
また、本実施の形態では、子機２２が親機２１に載置されている場合、着信音が親機２１に送出され、子機２２が親機２１に載置されていない場合は、着信音が親機２１経由で子機２２に送出される。このため、子機２２を親機２１に載置したり、親機２１に載置している子機２２を親機２１から持上げたりすることで、親子電話機２に対する着信音の送出先を切り替えることができ、親子電話機２の使い勝手が向上する。
【０１１２】
また、本実施の形態では、着信鳴動中の親機２１に載置されている子機２２が持上げられると、この親機２１および子機２２を有する親子電話機２に着信した呼に対する接続応答が外線ネットワーク５に送出される。このため、親子電話機２に対する音声経路の接続先の切り替え指示と、親子電話機２に着信した呼に対する接続応答の指示とを、同じ操作で同時に実現することができる。
【０１１３】
また、本実施の形態では、外線ネットワーク５に呼を発信する場合において、子機２２が親機２１に載置されている場合は、外線ネットワーク５からの呼出音が親機２１に転送され、子機２２が親機２１に載置されていない場合は、外線ネットワーク５からの呼出音が親機２１経由で子機２２に転送する。このため、子機２２を親機２１に載置したり、親機２１に載置している子機２２を親機２１から持上げたりすることで、親子電話機２に対する呼出音の送出先を切り替えることができ、親子電話機２の使い勝手が向上する。
【０１１４】
また、本実施の形態では、子機２２が無線ＡＰ３の圏外にある場合、この子機２２の親機２１への載置状態にかかわらず、音声経路の子機２２への中継は行われない。このため、親子電話機２に呼が繋がらなくなることを防止することができる。
【０１１５】
なお、本発明は上記の実施の形態に限定されるものではなく、その要旨の範囲内で数々の変形が可能である。例えば、主装置１、親子電話機２、および無線ＡＰ３の各構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｅｒ）、ＰＣ（Ｐｅｒｓｏｎａｌ  Ｃｏｍｐｕｔｅｒ）などの計算機によりソフトウエア的に実行されるものでもよい。
【０１１６】
また、本実施の形態では、親機２１の子機ＩＦ部２１０８に設けられたセンサにより、子機２２の載置状態を検出する場合を例に取り説明した。しかし、本発明はこれに限定されない。例えば、親機２１の電源制御部２１０９で子機２２の充電状態を監視することで、子機２２の載置状態を検出するようにしてもよい。
【０１１７】
図１６は、親機２１の子機ＩＦ部２１０８、電源制御部２１０９、および子機２２の親機ＩＦ部２２０８、電源制御部２２０９の変形例を説明するための図である。
【０１１８】
図示するように、親機２１において、子機ＩＦ部２１０８は、子機２２から子機ＩＤを取得するための通信端子２１０８１と、子機２２に電力を供給するための電力供給端子２１０８２、２１０８３と、を有する。また、電源制御部２１０９は、電力供給端子２１０８２、２１０８３に電源を供給する電源２１０９１と、電源２１０９１の電源供給ラインに挿入された抵抗２１０９５と、電源２１０９１の電源供給ラインを流れる電流値を測定する電流メータ２１０９３と、電力供給端子２１０８２、２１０８３間の電圧値を測定する電圧メータ２１０９４と、電源２１０９１の供給電力を調整する電源コントローラ２１０９２と、を有する。
【０１１９】
また、子機２２において、親機ＩＦ部２２０８は、親機２１の通信端子２１０８１に接続され、親機２１に子機ＩＤを通知するための通信端子２２０８１と、親機２１の電力供給端子２１０８２、２１８０３に接続され、親機２１から電力を入力するための電力入力端子２２０８２、２２０８３と、を有する。また、電源制御部２２０９は、電力入力端子２２０８２、２２０８３間の電圧値を測定する電圧メータ２２０９２と、ダイオード、電力入力端子２２０８２、２２０８３に入力された電力を蓄電するバッテリ２２０９１と、を有する。
【０１２０】
以上のような構成において、電源コントローラ２１０９２は、電流メータ２１０９３および電圧メータ２１０９４の測定値に基づいて電源２１０９１の供給電力を制御すると共に、これらの測定値に基づいて子機２２の載置状態を検出する。電源供給ラインの電流値が所定値以下の場合、電力供給端子２１０８２、２１０８３間が開放されていると考えられる。また、電力供給端子２１０８２、２１０８３間の電圧値が所定値以下の場合、子機２２に何らかの異常が発生し、子機２２の電力入力端子２２０８２、２２０８３間が短絡したものと考えられる。このような場合は、載置状態「非載置」と判断する。そして、電源供給ラインの電流値が所定の範囲内であり、且つ電力供給端子２１０８２、２１０８３間の電圧値が所定の範囲内である場合に、載置状態「載置」と判断する。
【０１２１】
あるいは、電源２１０９１の出力電圧および電圧メータ２１０９４の測定値を用いて抵抗２１０９５に加わる電圧値を計算すると共に、子機２２の電圧メータ２２０９２の測定値を通信端子２１０８１、２２０８１経由で取得する。そして、両者を比較することで、載置状態を検出する。例えば、子機２２の電力入力端子２２０８２、２２０８３間の抵抗値よりも大きくなるように、抵抗２１０９５の抵抗値を設定し、この両者の抵抗値の違いに応じた電圧差が、抵抗２１０９５に加わる電圧値および電圧メータ２２０９２の測定値間に生じている場合に、載置状態「載置」と判断する。それ以外の場合は、載置状態「非載置」と判断する。
【０１２２】
なお、本実施の形態では、載置状態を親機２１側で検出する場合を想定しているが、載置状態を子機２２側で検出し、これを無線ネットワーク経由で親機２１に通知するようにしてもよい。
【０１２３】
また、本実施の形態において、子機２２に単体電話としての機能を持たせるようにしてもよい。すなわち、子機２２に、親子電話機２の電話番号とは別の専用の電話番号を割り当てる。また、親子電話モードおよび単体電話モードの切替スイッチを設ける。そして、単体電話モードが選択された場合は、通常の電話機と同様に、自電話機に付与された電話番号を用いて他端末と通信する。なお、電話モードが切り替わった場合は、その旨を子機２２から親機２１に通知する。親機２１は、自機２１と親子関係にある子機２２の電話モードを管理し、単体電話モードで動作中の子機２２については、子機状態が「圏外」の場合と同様に扱う。これにより、親子電話機２への着信が子機２２に転送されることを防止する。
【０１２４】
また、本実施の形態では、子機２２の無線通信に無線ＬＡＮを利用する場合を想定して説明した。しかし、本発明はこれに限定されない。子機２２の無線通信にＰＨＳや携帯電話を利用してもよい。
【０１２５】
また、本実施の形態において、親機２１は、自機２１と親子関係にある子機２２の載置状態が「非載置」である場合に、自機２１に対する音声経路の、この子機２２への中継処理を行っている。しかし、本発明はこれに限定されない。親機２１が、自機２１と親子関係にある子機２２を無線ＡＰ３経由で常時接続することにより、自機２１からこの子機２２に、あるいはこの子機２２から自機２１に通信データを常時転送するようにしてもよい。そして、自機２１と親子関係にある子機２２の載置状態が「非載置」である場合は、子機２２で通信データの受信処理をさせずに、自機２１で通信データの受信処理を行う。一方、「載置」の場合は、子機２２で通信データの受信処理を行わせ、自機２１では通信データの受信処理を行わない。このようにすることで、親機２１および子機２２の通信制御を簡単にすることができる。
【図面の簡単な説明】
【０１２６】
【図１】図１は、本発明の一実施の形態が適用された親子電話システムの概略構成図である。
【図２】図２は、主装置１の概略構成図である。
【図３】図３は、無線ＡＰ３の概略構成図である。
【図４】図４は、親機２１の概略構成図である。
【図５】図５は、親子情報記憶部２１１０を模式的に表した図である。
【図６】図６は、親機２１の動作を説明するためのフロー図である。
【図７】図７は、親機２１の親子情報更新処理（図６のＳ２１１０）を説明するためのフロー図である。
【図８】図８は、親機２１の着信処理（図６のＳ２１０２）を説明するためのフロー図である。
【図９】図９は、親機２１の発信処理（図６のＳ２１０４）を説明するためのフロー図である。
【図１０】図１０は、子機２２の概略構成図である。
【図１１】図１１は、子機２２の動作を説明するためのフロー図である。
【図１２】図１２は、子機２２の着信処理（図１１のＳ２２０２）を説明するためのフロー図である。
【図１３】図１３は、子機２２の発信処理（図１１のＳ２２０４）を説明するためのフロー図である。
【図１４】図１４は、子機２２が親機２１に載置されている親子電話機２に着信した場合に、子機２２で通話する場合の通話例を説明するためのシーケンス図である。
【図１５】図１５は、子機２２が親機２１に載置されている親子電話機２において、親機２１でダイヤル操作して発信し、子機２２で通話する場合の通話例を説明するためのシーケンス図である。
【図１６】図１６は、親機２１の子機ＩＦ部２１０８、電源制御部２１０９、および子機２２の親機ＩＦ部２２０８、電源制御部２２０９の変形例を説明するための図である。
【符号の説明】
【０１２７】
１：主装置、２：親子電話機、３：無線ＡＰ、４：内線ネットワーク、５：外線ネットワーク、１１：外線ＩＦ部、１２：内線ＩＦ部、１３：通信制御部、１４：ＧＷ部、１５：ルータ部、１６：呼制御部、１７：局データ記憶部、１８：主制御部、２１：親機、２２：子機、３１：無線ＩＦ部、３２：内線ＩＦ部、３３：通信制御部、３４：子機管理部、３５：子機情報記憶部、３６：主制御部、２１０１：内線ＩＦ部、２１０２：通信制御部、２１０３：呼制御部、２１０４：操作パネル、２１０５：操作制御部、２１０６：ハンズフリー部、２１０７：音声制御部、２１０８：子機ＩＦ部、２１０９：電源制御部、２１１０：親子情報記憶部、２１１１：主制御部、２２０１：無線ＩＦ部、２２０２：通信制御部、２２０３：呼制御部、２２０４：操作パネル、２２０５：操作制御部、２２０６：ハンドセット部、２２０７：音声制御部、２２０８：親機ＩＦ部、２２０９：電源制御部、２２１０：親子情報記憶部、２２１１：主制御部
【図１】
2008205910.tif 000003
【図２】
2008205910.tif 000004
【図３】
2008205910.tif 000005
【図４】
2008205910.tif 000006
【図５】
2008205910.tif 000007
【図６】
2008205910.tif 000008
【図７】
2008205910.tif 000009
【図８】
2008205910.tif 000010
【図９】
2008205910.tif 000011
【図１０】
2008205910.tif 000012
【図１１】
2008205910.tif 000013
【図１２】
2008205910.tif 000014
【図１３】
2008205910.tif 000015
【図１４】
2008205910.tif 000016
【図１５】
2008205910.tif 000017
【図１６】
2008205910.tif 000018